(57)【要約】【課題】部品点数を増加せずにカム溝からカムピンが抜けることを抑制することができるディスク装置を提供すること。【解決手段】カム溝２２，２３の動作領域のうち、上昇時水平方向領域２２ａ，２３ａを所定領域、傾斜方向領域２２ｂ，２３ｂをカムピン挿入領域とする。カムピン３２，３３の先端の突起３２ａ，３３ａは、このカムピン３２，３３がそれぞれカム溝２２，２３に挿入された状態で、上昇時水平方向領域２２ａ，２３ａの溝幅よりも、この上昇時水平方向領域２２ａ，２３ａにおける溝幅方向に突出し、その傾斜方向領域２２ｂ，２３ｂにおける溝幅方向の突出がこの傾斜方向領域２２ｂ，２３ｂの溝幅よりも小さくなる。これにより、傾斜方向領域２２ｂ，２３ｂにおいて、カム溝２２，２３に挿入されたカムピン３２，３３が上昇時水平方向領域２２ａ，２３ａに位置した際に、このカムピン３２，３３がカム溝２２，２３から抜けることを抑制する。【選択図】        図５−１
2007109276.tif 000002
【特許請求の範囲】
【請求項１】
駆動部材と、この駆動部材の移動に応じて所定の動作を行う従動部材とからなるカム装置を備えるディスク装置において、
前記カム装置は、前記駆動部材および前記従動部材のそれぞれに別個に形成されるカム溝および当該カム溝の一方から挿入した際に先端が他方に突出するカムピンを有し、
前記カムピンは、前記カム溝に挿入された状態で、前記駆動部材の移動に応じて従動部材が所定の動作を行う際に、通過する前記カム溝の動作領域範囲内の所定領域における溝幅よりも当該所定領域における溝幅方向に突出する突起が先端に形成されており、
前記カム溝は、前記所定領域を除く領域に、前記カムピンの挿入を許容するカムピン挿入領域が形成されていることを特徴とするディスク装置。
【請求項２】
前記カムピン挿入領域は、前記動作領域範囲外に形成されていることを特徴とする請求項１に記載のディスク装置。
【請求項３】
前記カム溝の動作領域は、１以上の水平方向に延在する水平方向領域と、傾斜方向に延在し、かつ当該水平方向領域の一方の端部と連通する傾斜方向領域とを備え、
前記所定領域は、前記水平方向領域であり、
前記カムピン挿入領域は、前記傾斜方向領域であることを特徴とする請求項１に記載のディスク装置。
【請求項４】
前記カムピンの突起は、当該カムピンが前記カム溝に挿入された状態で、前記傾斜方向領域における溝幅方向の突出が当該傾斜方向領域における溝幅以下であることを特徴とする請求項３に記載のディスク装置。
【発明の詳細な説明】
【技術分野】
【０００１】
本発明は、ディスク装置に関し、さらに詳しくは、駆動部材と、この駆動部材の移動に応じて所定の動作を行う従動部材とからなるカム装置を備えるディスク装置に関するものである。
【背景技術】
【０００２】
一般に、ディスク装置は、ＤＶＤやＣＤなどのディスクをこのディスク装置内に搬入し、ディスク装置外に搬出する搬出入手段と、搬入されたこのディスクをクランプし、回転させるディスク回転手段と、ディスクに記録されている情報の再生あるいはこのディスクへの情報の記録の少なくともいずれか一方を行う再生記録手段とを備える。なお、このディスク回転手段および再生記録手段は、トラバースメカに搭載されている。
【０００３】
このディスク装置では、ディスクの搬出入の際に、ディスク回転手段や再生記録手段を待避させるためトラバースメカを待避位置に位置させ、ディスクの搬入終了時に、ディスク回転手段をクランプ位置に移動させるためトラバースメカを演奏位置に位置させる必要がある。ディスク装置では、このトラバースメカの待避位置との演奏位置と間の移動をカム装置により行っている。
【０００４】
図１は、従来のディスク装置に用いられるカム装置を示す図である。同図に示すように、このカム装置１００は、駆動部材１１０と、従動部材１２０とにより構成されており、駆動部材１１０の移動に応じて従動部材１２０に所定の動作を行わせるものである。この駆動部材１１０は、図示しない駆動源の駆動力により、駆動部材１１０の水平方向に往復運動するものであり、２つのカム溝１１１が形成されている。カム溝１１１は、水平方向と直交する上下方向における高さが異なる水平方向領域１１２，１１３と、この水平方向領域１１２，１１３の一方の端部と連通する傾斜方向領域１１４とにより形成されている。
【０００５】
一方、従動部材１２０には、図示しないトラバースメカが載置されており、この２つのカム溝１１１にそれぞれ挿入されるカムピン１２１が駆動部材側に突出して形成されている。２つのカムピン１２１は、ディスク装置に対して駆動部材１１０および従動部材１２０が組み付けられた際に、２つのカム溝１１１のそれぞれに挿入される。従って、駆動部材１１０が水平方向に移動すると、このカム溝１１１に挿入されたカムピン１２１がカム溝１１１内を移動する。例えば、駆動部材１１０が水平方向のうち一方向（同図左側方向）に移動すると、カムピン１１１が水平方向領域１１２から傾斜方向領域１１４を介して水平方向領域１１３に移動し、従動部材１２０が下方向に移動する。これにより、この従動部材１２０に載置された図示しないトラバースメカが待避位置に移動することとなる。また、例えば、駆動部材１１０が水平方向のうち他方向（同図右側方向）に移動すると、カムピン１１１が水平方向領域１１３から傾斜方向領域１１４を介して水平方向領域１１２に移動し、従動部材１２０が上方向に移動する。これにより、この従動部材１２０に載置された図示しないトラバースメカが演奏位置に移動することとなる。
【０００６】
図２は、従来の問題点を示す図である。カム装置１００がディスク装置に組み付けられた状態で、例えばこのディスク装置の運搬を行う際に、このディスク装置が落下などすると、図示しないトラバースメカに大きな衝撃力が発生する。この衝撃力は、同図に示すように、このトラバースメカが固定されている従動部材１２０にも伝達される。従動部材１２０は、この衝撃力により、カムピン１２１が形成されている部分が、駆動部材１１０と離れる方向（変形方向）に大きく変形する。従って、従動部材１２０に伝達される衝撃力の大きさによっては、カム溝１１２に挿入されているカムピン１２１がこのカム溝１１２から抜ける虞があった。
【０００７】
そこで、従来のディスク装置では、例えば特許文献１に示すように、カムピンがカム溝から抜けることを抑制する技術が提案されている。特許文献１に示すディスク装置（ディスクドライブ装置）では、まずカムピンがガイド体のガイド長孔に挿通される。次に、ガイド体から突出するカムピンの先端に、球形状コロを固定する。そして、この球形状コロが固定されたカムピンがカム溝に挿入される。上記のように、トラバースメカの衝撃力が加わるとこの衝撃力が従動部材（昇降駆動プレート）に伝達され、従動部材が駆動部材と離れる方向に変形する。しかし、この球形状コロの径がガイド体のガイド長孔の幅よりも大きいため、従動部材が駆動部材から離れる方向に移動しても、球形状コロがガイド体に接触することで、従動部材が駆動部材から離れる方向に移動することが規制され、カムピンがカム溝から抜けるのを抑制するものである。
【０００８】
【特許文献１】特開２００５−１５８１００号公報
【発明の開示】
【発明が解決しようとする課題】
【０００９】
ところで、上記特許文献１に示すようなカム装置では、カムピンがカム溝から抜けることを抑制するためにカムピンに球形状コロなどの別部材を取り付ける必要がある。従って、ディスク装置の部品点数が増加するという問題がある。また、この別部品は、カムピンをカム溝（特許文献では、ガイド長孔）の一方から挿入した後に、他方に突出する先端に固定することとなる。従って、特許文献１に示すようなカム装置は、ガイド体を備えておらず、このカム溝の他方側にこの別部材を取り付けるためのスペースがないディスク装置では、用いることができない。
【００１０】
この発明は、上述した課題をその一例として解決するものであって、部品点数を増加せずにカム溝からカムピンが抜けることを抑制することができるディスク装置を提供することを目標とする。
【課題を解決するための手段】
【００１１】
本発明の請求項１に記載のディスク装置は、駆動部材と、この駆動部材の移動に応じて所定の動作を行う従動部材とからなるカム装置を備えるディスク装置において、前記カム装置は、前記駆動部材および前記従動部材のそれぞれに別個に形成されるカム溝および当該カム溝の一方から挿入した際に先端が他方に突出するカムピンを有し、前記カムピンは、前記カム溝に挿入された状態で、前記駆動部材の移動に応じて従動部材が所定の動作を行う際に、通過する前記カム溝の動作領域範囲内の所定領域における溝幅よりも当該所定領域における溝幅方向に突出する突起が先端に形成されており、前記カム溝は、前記所定領域を除く領域に、前記カムピンの挿入を許容するカムピン挿入領域が形成されていることを特徴とする。
【発明を実施するための最良の形態】
【００１２】
以下、この発明につき図面を参照しつつ詳細に説明する。なお、下記実施の形態によりこの発明が限定されるものではない。また、下記実施の形態における構成要素には、当業者が容易に想定できるもの或いは実質的に同一のものが含まれる。
【００１３】
〔実施の形態１〕
この実施の形態１に係るディスク装置は、駆動部材と、この駆動部材の移動に応じて所定の動作を行う従動部材とからなるカム装置を備える。この駆動部材および従動部材には、それぞれ別個にカム溝およびこのカム溝の一方から挿入した際に先端が他方に突出するカムピンが形成されている。このカムピンは、カム溝に挿入された状態で、駆動部材の移動に応じて従動部材が所定の動作を行う際に、通過するカム溝の動作領域範囲内の所定領域における溝幅よりも当該所定領域における溝幅方向に突出する突起が先端に形成されている。また、このカム溝は、この所定領域を除く領域に、カムピンの挿入を許容するカムピン挿入領域が形成されている。
【００１４】
この実施の形態１に係るディスク装置では、上記構成を特徴とすることで、カムピン挿入領域においてカム溝に挿入されたカムピンは、カム溝の動作領域範囲内の所定領域に位置した際に、その先端の突起がこの所定領域における溝幅よりも所定領域における溝幅方向に突出することとなる。従って、カムピンがカム溝の所定領域に位置している場合は、このカムピンの突起が、カム溝近傍と接触することで、駆動部材に対して従動部材が離れる方向に移動することを規制することができる。これにより、例えば、所定領域をディスク装置の運搬状態など従動部材が変形する虞がある際にカムピンが位置する領域とすることで、従動部材が変形しても、駆動部材に対して従動部材が離れる方向に移動することが規制され、部品点数を増加せずにカム溝からカムピンが抜けることを抑制することができる。
【００１５】
〔実施の形態２〕
この実施の形態２に係るディスク装置は、上記実施の形態１に係るディスク装置において、カムピン挿入領域が、動作領域範囲外に形成されている。
【００１６】
この実施の形態２に係るディスク装置では、上記構成を特徴とすることで、所定領域をカム溝の動作領域の全領域とすることができる。従って、カムピンがカム溝の動作領域のいずれに位置していても、このカムピンの突起が、カム溝近傍と接触することで、駆動部材に対して従動部材が離れる方向に移動することを規制することができる。これにより、ディスク装置の運搬状態、このディスク装置の作動時、非作動時に拘わらず、上記実施の形態１に係るディスク装置と同様に、カム溝からカムピンが抜けることを確実に抑制することができる。
【００１７】
〔実施の形態３〕
この実施の形態３に係るディスク装置は、上記実施の形態１に係るディスク装置において、カム溝の動作領域は、１以上の水平方向に延在する水平方向領域と、傾斜方向に延在し、かつ当該水平方向領域の一方の端部と連通する傾斜方向領域とを備える。この動作領域のうち水平方向領域を所定領域とし、傾斜方向領域をカムピン挿入領域とする。
【００１８】
この実施の形態３に係るディスク装置では、上記構成を特徴とすることで、カム溝に動作領域の一部である傾斜方向領域をカムピン挿入領域とすることで、カム溝の駆動部材が移動する方向における長さを延長する必要がない。従って、上記実施の形態１に係るディスク装置と同様の作用効果を奏するとともに、ディスク装置の駆動部材が移動する方向における長さが長くなることを抑制することができる。
【００１９】
〔実施の形態４〕
この実施の形態４に係るディスク装置は、上記実施の形態３に係るディスク装置において、カムピンがカム溝に挿入された状態で、傾斜方向領域における溝幅方向の突出がこの傾斜方向領域における溝幅以下となるように、このカムピンの突起を形成する。
【００２０】
この実施の形態４に係るディスク装置では、上記構成を特徴とすることで、カムピンがカム溝に挿入された状態における駆動部材と従動部材との回転方向の位置関係を維持して、カムピンをカム溝に挿入することができる。従って、組み付け作業の複雑化を抑制することができる。また、駆動部材と従動部材とを相対回転させずに、カムピンをカム溝に挿入することができるので、カムピントおよびカム溝を２以上有するカム装置においても、傾斜方向領域をカム挿入領域とすることができる。
【実施例】
【００２１】
図３−１および図３−２は、カム装置の駆動部材の構成例を示す図である。図４−１〜図４−４は、カム装置の従動部材の構成例を示す図である。図５−１および図５−２は、組付時におけるカム装置を示す図である。図６−１および図６−２は、演奏状態（運搬状態）におけるカム装置を示す図である。図７−１および図７−２は、待機状態におけるカム装置を示す図である。なお、以下の実施例では、カム装置は、トラバースメカを待機位置と演奏位置との間を移動させるためのものとして説明するが、この発明はこれに限定されるものではない。
【００２２】
ディスク装置は、図示は省略するがＤＶＤ（Digital Versatile Disk）やＣＤ（Compact Disk）などのディスクをこのディスク装置内に搬入し、ディスク装置外に搬出する搬出入手段、搬入されたこのディスクをクランプし、回転させるディスク回転手段、ディスクに記録されている情報の再生あるいはこのディスクへの情報の記録の少なくともいずれか一方を行う再生記録手段などを備える。このディスク装置が備えるカム装置１（図５−１〜図７−２参照）は、図３−１および図３−２に示す駆動部材２と、図４−１〜図４−４に示すこの駆動部材２の移動に応じて所定の動作を行う従動部材３とにより構成されている。
【００２３】
駆動部材２は、例えばモータなどの駆動源の駆動力によりシャーシ２００に対して水平方向へ移動するものである（図５−１〜図７−２参照）。この駆動部材２は、図３−１および図３−２に示すように、Ｌ字状に形成されており、駆動側ギヤ２１と、２つのカム溝２２，２３とにより構成されている。駆動側ギヤ２１は、Ｌ字形状の一方の片の端部に形成されており、水平方向に延在するラックである。カム溝２２，２３は、Ｌ字形状の他方の片に水平方向に並んでこの他方の片を貫通するように形成されている。このカム溝２２，２３は、同一形状であり、全領域が動作領域である。ここで、動作領域とは、カム溝２２，２３のうち、後述するカムピン３２，３３がそれぞれカム溝２２，２３に挿入された状態で、駆動部材２の移動、すなわち水平方向の移動に応じて従動部材３が所定の動作を行う際に、このカムピン３２，３３が通過する領域をいう。
【００２４】
カム溝２２，２３の動作領域は、上昇時水平方向領域２２ａ，２３ａと、下降時水平方向領域２２ｃ，２３ｃと、傾斜方向領域２２ｂ，２３ｂとによりそれぞれ構成されている。上昇時水平方向領域２２ａ，２３ａおよび下降時水平方向領域２２ｃ，２３ｃは、駆動部材２の水平方向に延在して形成されている。この上昇時水平方向領域２２ａ，２３ａは、下降時水平方向領域２２ｃ，２３ｃよりも水平方向と直交する上下方向において上側に形成されている。つまり、上昇時水平方向領域２２ａ，２３ａおよび下降時水平方向領域２２ｃ，２３ｃは、上下方向における高さが異なるように形成されている。傾斜方向領域２２ｂ，２３ｂは、上昇時水平方向領域２２ａ，２３ａおよび下降時水平方向領域２２ｃ，２３ｃに対して所定角度の傾斜方向に延在して形成されている。この傾斜方向領域２２ｂ，２３ｂは、その両端部が上昇時水平方向領域２２ａ，２３ａの一方の端部および下降時水平方向領域２２ｃ，２３ｃの一方の端部とそれぞれ連通している。なお、この実施例では、上昇時水平方向領域２２ａ，２３ａを動作領域内に形成される所定領域とするものである。
【００２５】
ここで、カム溝２２，２３は、上昇時水平方向領域２２ａ，２３ａの溝幅Ｗ１、すなわち所定領域における溝幅Ｗ１と、傾斜方向領域２２ｂ，２３ｂの溝幅Ｗ２と、下降時水平方向領域２２ｃ，２３ｃの溝幅Ｗ３は、ほぼ同一の幅となるように、形成されている。なお、上昇時水平方向領域２２ａ，２３ａの溝幅Ｗ１および下降時水平方向領域２２ｃ，２３ｃにおける溝幅Ｗ３は、水平方向と直交する上下方向を溝幅方向とするものであり、傾斜方向領域２２ｂ，２３ｂの溝幅Ｗ２は、傾斜方向と直交する直交方向を溝幅方向とするものである。
【００２６】
従動部材３は、上記ディスク回転手段および再生記録手段などが搭載されているトラバースメカ２１０を載置するものである（図５−１〜図７−２参照）。この従動部材３は、図４−１〜図４−４に示すように、本体部３１と、２つのカムピン３２，３３と、２つの支持部３４，３５と、軸部３６，３７とにより構成されている。本体部３１は、コの字状に形成されており、その両端部に軸部３６，３７が水平方向に突出して形成されている。
【００２７】
カムピン３２，３３は、カム装置１のディスク装置への組付後に駆動部材２のカム溝２２，２３と対向する本体部３１の面に、この駆動部材側に突出して形成されている。このカムピン３２，３３は、円柱形状であり、その直径Ｄ１が上昇時水平方向領域（所定領域）２２ａ，２３ａの溝幅Ｗ１、傾斜方向領域２２ｂ，２３ｂの溝幅Ｗ２、下降時水平方向領域２２ｃ，２３ｃの溝幅Ｗ３のいずれよりも小さく形成されている。このカムピン３２，３３には、その先端に突起３２ａ，３３ａがそれぞれ形成されている。この突起３２ａ，３３ａは、図４−４に示すように、このカムピン３２，３３がそれぞれカム溝２２，２３に挿入された状態で、上記上昇時水平方向領域（所定領域）２２ａ，２３ａの溝幅Ｗ１よりも、この上昇時水平方向領域（所定領域）２２ａ，２３ａにおける溝幅方向に突出するように形成されている。さらに、この突起３２ａ，３３ａは、同図に示すように、このカムピン３２，３３がそれぞれカム溝２２，２３に挿入された状態で、傾斜方向領域２２ｂ，２３ｂにおける溝幅方向の突出がこの傾斜方向領域２２ｂ，２３ｂの溝幅Ｗ２よりも小さくなるように形成されている。つまり、傾斜方向領域２２ｂ，２３ｂは、カムピン３２，３３の挿入を許容し、上記所定領域（上昇時水平方向領域２２ａ，２３ａ）を除く領域に形成されるカムピン挿入領域である。
【００２８】
支持部３４，３５は、トラバースメカ２１０が図示しない緩衝部材を介して固定されるものである（図５−１〜図７−２参照）。軸部３６，３７は、シャーシ２００に形成された図示しない軸受けにより、従動部材３をシャーシ２００に対して軸部３６，３７を中心に回転可能に支持するものである。
【００２９】
次に、カム装置１のディスク装置への組み付けについて説明する。図５−１および図５−２に示すように、まず駆動部材２をシャーシ２００に組み付ける。このとき、駆動部材２の駆動側ギヤ２１は、モータなどの図示しない駆動源と連結されたシャーシ側ギヤ２０２と噛み合う（図７−２参照）。ここで、シャーシ２００には、駆動部材側にガイド溝２０１が上下方向に延在して形成されている。このガイド溝２０１は、２つのカムピン３２，３３のどちらか一方が駆動部材２のカム溝２２，２３の一方からそれぞれ挿入された際に、この２つのカム溝２２，２３の他方に突出した先端が挿入されることで、従動部材３が水平方向に移動することを抑制するものである。
【００３０】
次に、駆動部材２をシャーシ２００のガイド溝２０１とカムピン挿入領域である２つの傾斜方向領域２２ｂ，２３ｂとがそれぞれ対向するように、水平方向に移動させる。次に、カムピン３２，３３の突起３２ａ，３３ａは、上述のように、傾斜方向領域２２ｂ，２３ｂにおける溝幅方向の突出がこの傾斜方向領域２２ｂ，２３ｂの溝幅Ｗ２よりも小さくなるように形成されているため、カムピン挿入領域である傾斜方向領域２２ｂ，２３ｂにおいて、カム溝２２，２３に一方から挿入することができる。このとき、カム溝２２，２３の他方には、カムピン３２，３３の先端が突出する。つまり、突起３２ａ，３３ａがカム溝２２，２３の他方、ここではシャーシ側に突出する。
【００３１】
次に、カムピン３２，３３がカム溝２２，２３に挿入された状態で、従動部材３の軸部３６，３７をそれぞれシャーシ２００の図示しない軸受けにより支持させる。そして、ディスク装置にカム装置１が組み付けられる。なお、カム装置１が組み付けられた状態で、トラバースユニット２１０は、図示しない緩衝部材を介して支持部３４，３５に固定され、従動部材３に載置される。
【００３２】
次に、カム装置１の動作について説明する。トラバースメカ２１０は、ディスク装置が演奏状態（運搬状態）であるかあるいは待機状態であるかによって演奏位置と待機位置との間を移動する。このトラバースメカ２１０の移動は、駆動部材２が水平方向に移動することで、この駆動部材２の移動に応じて従動部材３が所定の動作を行うことで行われる。
【００３３】
ディスク装置が演奏状態（運搬状態）となるためには、トラバースメカ２１０を演奏位置に移動させる。トラバースメカ２１０を演奏位置に移動させるためには、従動部材３のカムピン３２，３３がカム溝２２，２３の上昇時水平方向領域２２ａ，２３ａに移動することとなる。例えば、図７−１および図７−２に示すように、従動部材３のカムピン３２，３３がカム溝２２，２３の下降時水平方向領域２２ｃ，２３ｃに位置している場合は、駆動部材２を水平方向のうち一方向（図７−１右側方向）に移動させる。ここでは、図示しないモータなどの駆動源により駆動力を発生し、シャーシ側ギヤ２０２を回転させることで、このシャーシ側ギヤ２０２と噛み合う駆動側ギヤ２１により、駆動部材２を水平方向のうち一方向に移動させる。これにより、カムピン３２，３３は、図５−１および図５−２に示すように、下降時水平方向領域２２ａ，２３ａから傾斜方向領域２２ｂ，２３ｂに移動し、さらに図６−１および図６−２に示すように、傾斜方向領域２２ｂ，２３ｂから上昇時水平方向領域２２ｃ，２３ｃに移動する。従って、従動部材３は、軸部３６，３７を中心に上下方向のうち上方向に上昇し、トラバースメカ２１０が待機位置から演奏位置に移動、すなわち上昇する。
【００３４】
このとき、カムピン３２，３３の突起３２ａ，３３ａは、上述のように、上昇時水平方向領域（所定領域）２２ａ，２３ａの溝幅Ｗ１よりも、この上昇時水平方向領域（所定領域）２２ａ，２３ａにおける溝幅方向に突出するように形成されているため、従動部材３が駆動部材２に対して離れる方向に移動しようとすると、カム溝２２，２３近傍に接触する。従って、カムピン３２，３３がカム溝２２，２３の所定領域に位置している場合は、このカムピン３２，３３の突起３２ａ，３３ａが、カム溝２２，２３の近傍と接触することで、駆動部材２に対して従動部材３が離れる方向に移動することが規制される。ここで、ディスク装置を運搬する際には、トラバースメカ２１０を演奏位置に移動させる。つまり、ディスク装置が運搬状態の際にも、カムピン３２，３３は、カム溝２２，２３の所定領域である上昇時水平方向領域２２ａ，２３ａに位置することとなり、駆動部材２に対して従動部材３が離れる方向に移動することが規制される。これにより、所定領域を従動部材３が変形する虞がある際にカムピン３２，３３が位置する領域を上昇時水平方向領域２２ａ，２３ａとすることで、従動部材３が変形しても、駆動部材２に対して従動部材３が離れる方向に移動することが規制され、部品点数を増加加せずにカム溝２２，２３からカムピン３２，３３が抜けることを抑制することができる。
【００３５】
ここで、カムピン３２，３３を長くすることで、カム溝２２，２３からこのカムピン３２，３３が抜けることを抑制することも考えられる。しかし、カムピン３２，３３を長くすると、従動部材３が変形した際に、この長くなったカムピン３２，３３の先端がカム溝２２，２３に接触することとなり、この接触部分に荷重が加わり、このカムピン３２，３３が折れる虞がある。この発明では、カムピン３２，３３を長くしなくても、カム溝２２，３２からこのカムピン３２，３３が抜けることを抑制することができるため、カムピン３２，３３が折れることを抑制することができる。また、カム溝２２，２３からカムピン３２，３３が抜けることを抑制するために、従動部材３の材料を例えば剛性が高い材料あるいは硬度が高い材料とする必要がないので、設計の困難性および製造コストの増加を抑制することができる。
【００３６】
一方、ディスク装置が待機状態となるためには、トラバースメカ２１０を待機位置に移動させる。トラバースメカ２１０を待機位置に移動させるためには、従動部材３のカムピン３２，３３がカム溝２２，２３の下降時水平方向領域２２ｃ，２３ｃに移動することとなる。例えば、図６−１および図６−２に示すように、従動部材３のカムピン３２，３３がカム溝２２，２３の上昇時水平方向領域２２ａ，２３ａに位置している場合は、駆動部材２を水平方向のうち他方向（図６−１左側方向）に移動させる。ここでは、図示しないモータなどの駆動源により駆動力を発生し、シャーシ側ギヤ２０２を回転させることで、このシャーシ側ギヤ２０２と噛み合う駆動側ギヤ２１により、駆動部材２を水平方向のうち他方向に移動させる。これにより、カムピン３２，３３は、図５−１および図５−２に示すように、上昇時水平方向領域２２ａ，２３ａから傾斜方向領域２２ｂ，２３ｂに移動し、さらに図７−１および図７−２に示すように、傾斜方向領域２２ｂ，２３ｂから下降時水平方向領域２２ｃ，２３ｃに移動する。従って、従動部材３は、軸部３６，３７を中心に上下方向のうち下方向に下降し、トラバースメカ２１０が演奏位置から待機位置に移動、すなわち下降する。
【００３７】
以上のように、この実施例では、カム溝２２，２３に動作領域の一部である傾斜方向領域２２ｂ，２３ｂをカムピン挿入領域とするので、カム溝２２，２３の駆動部材２が移動する方向、すなわち水平方向における長さを延長する必要がない。従って、ディスク装置の水平方向における長さが長くなることを抑制することができる。また、カムピン３２，３３は、このカムピン３２，３３がそれぞれカム溝２２，２３に挿入された状態における駆動部材２と従動部材３との回転方向の位置関係を維持して、カム溝２２，２３に挿入することができる。従って、組み付け作業の複雑化を抑制することができる。また、駆動部材２と従動部材３とを相対回転させずに、カムピン３２，３３をカム溝２２，２３にそれぞれ挿入することができるので、この実施例のように、カムピンおよびカム溝を２以上有するカム装置１においても、傾斜方向領域２２ｂ，２３ｂをカム挿入領域とすることができる。
【００３８】
なお、上記実施例では、カム溝２２，２３の動作領域内の一部（傾斜方向領域２２ｂ，２３ｂ）をカムピン挿入領域としたが、この発明はこれに限定されるものではない。図８および図９は、カム装置の他の構成例を示す図である。図８および図９に示すカム装置１では、カムピン挿入領域をカム溝２２，２３の動作領域の両端部のいずれか一方を延長して形成するものである。
【００３９】
図８に示すカム装置１では、カム溝２２，２３の下降時水平方向領域２２ｃ，２３ｃの傾斜方向領域２２ｂ，２３ｂと連通する端部と反対側の端部を延長し、この延長した領域をカムピン挿入領域２２ｄ，２３ｄとするものである。このカムピン挿入領域２２ｄ，２３ｄの溝幅Ｗ４は、カム溝２２，２３の動作領域における溝幅よりも広く形成されている。また、カムピン３２，３３の先端に形成される突起３２ｂ，３３ｂは、このカムピン３２，３３がそれぞれカム溝２２，２３に挿入された状態で、上記カム溝２２，２３の動作領域の溝幅よりも、この動作領域における溝幅方向に突出するように形成されている。また、この突起３２ｂ，３３ｂは、突起３２ｂ，３３ｂを含むカムピン３２，３３のカムピン挿入領域２２ｄ，２３ｄにおける溝幅方向の長さがカムピン挿入領域２２ｄ，２３ｄの溝幅Ｗ４よりも短くなるように形成されている。これにより、所定領域をカム溝２２，２３の動作領域の全領域とすることができる。
【００４０】
また、図９に示すカム装置１では、カム溝２２，２３の上昇時水平方向領域２２ａ，２３ａの傾斜方向領域２２ｂ，２３ｂと連通する端部と反対側の端部を延長し、この延長した領域をカムピン挿入領域２２ｅ，２３ｅとするものである。このカムピン挿入領域２２ｅ，２３ｅの溝幅Ｗ５は、カム溝２２，２３の動作領域における溝幅よりも広く形成されている。また、カムピン３２，３３の先端に形成される突起３２ｂ，３３ｂは、このカムピン３２，３３がそれぞれカム溝２２，２３に挿入された状態で、上記カム溝２２，２３の動作領域の溝幅よりも、この動作領域における溝幅方向に突出するように形成されている。また、この突起３２ｂ，３３ｂは、突起３２ｂ，３３ｂを含むカムピン３２，３３のカムピン挿入領域２２ｅ，２３ｅにおける溝幅方向の長さがカムピン挿入領域２２ｅ，２３ｅの溝幅Ｗ５よりも短くなるように形成されている。これにより、所定領域をカム溝２２，２３の動作領域の全領域とすることができる。
【００４１】
図８および図９に示すカム装置１をディスク装置に組み付ける際には、カムピン３２，３３は、それぞれカムピン挿入領域２２ｄ，２３ｄおよびカムピン挿入領域２２ｅ，２３ｅにおいてカム溝２２、２３に挿入される。カムピン３２，３３がカム溝２２，２３の動作領域を通過する際に、このカムピン３２，３３がカム溝２２，２３のいずれに位置していても、カム溝２２，２３の他方、すなわちシャーシ側に突出した先端に形成されている突起３２ｂ，３３ｂが、カム溝２２，２３の近傍に接触することができる。従って、カム装置１がディスク装置に組み付けられた後、ディスク装置が演奏状態（運搬状態）、待機状態、演奏状態から待機状態への移動中、待機状態から演奏状態への移動中のいずれであっても、駆動部材２に対して従動部材３が離れる方向に移動することを規制することができる。これにより、ディスク装置の運搬状態、このディスク装置の作動時、非作動時に拘わらず、カム溝２２，２３からカムピン３２，３３が抜けることを確実に抑制することができる。
【００４２】
また、上記実施例では、円柱形状のカムピン３２，３３の先端に突起３２ａ，３３ａを形成したが、この発明はこれに限定されるものではない。図１０−１〜図１０−３は、カム装置の他の構成例を示す図である。図１０−１および図１０−２に示すカム装置１では、円柱形状のカムピン３８，３９の先端近傍に凹部３８ａ，３９ａを形成することで、先端に突起３８ｂ，３９ｂを形成するものである。つまり、カムピン３８，３９の先端近傍を切り欠くことで、突起３８ｂ，３９ｂを形成するものである。
【００４３】
カムピン３８，３９は、図１０−３に示すように、カム装置１のディスク装置への組付後に駆動部材２のカム溝２２，２３と対向する本体部３１の面に、この駆動部材側に突出して形成されている。このカムピン３８，３９は、円柱形状であり、その直径Ｄ２がカムピン挿入領域である傾斜方向領域２２ｂ，２３ｂの溝幅Ｗ７よりも小さく、かつ所定領域である上昇時水平方向領域２２ａ，２３ａよりも大きくなるように形成されている。凹部３８ａ，３９ａは、同図に示すように、このカムピン３８，３９がそれぞれカム溝２２，２３に挿入された状態で、この凹部３８ａ，３９ａが形成された部分の上昇時水平方向領域２２ａ，２３ａにおける溝幅方向の長さがこの上昇時水平方向領域２２ａ，２３ａの溝幅Ｗ６よりも小さくなるように形成されている。なお、凹部３８ａ，３９ａは、そのカムピン３８，３９の軸方向における幅がカム溝２２，２３の厚み（カムピン３８，３９の挿入方向における幅）よりも広くなるように形成されている。
【００４４】
これにより、カムピン３８，３９は、傾斜方向領域２２ｂ，２３ｂにおいて、カム溝２２，２３に一方から挿入することができる。このとき、カム溝２２，２３の他方には、カムピン３８，３９の先端が突出する。つまり、突起３８ｂ，３９ｂがカム溝２２，２３の他方、ここではシャーシ側に突出することとなる。また、このカムピン３８，３９が上昇時水平方向領域２２ａ、２３ａに位置した際には、このカムピン３８，３９の突起３８ｂ，３９ｂが、カム溝２２，２３の近傍と接触することができるので、駆動部材２に対して従動部材３が離れる方向に移動することが規制される。従って、実施例と同様に、部品点数を増加せずにカム溝２２，２３からカムピン３８，３９が抜けることを抑制することができる。
【００４５】
以上のように、この実施例にかかるディスク装置は、駆動部材２と、この駆動部材２の移動に応じて所定の動作を行う従動部材３とからなるカム装置１を備え、カム装置１は、駆動部材２に形成されるカム溝２２，２３および従動部材３に形成されるこのカム溝２２，２３の一方から挿入した際に先端が他方に突出するカムピン３２，３３を有し、カムピン３２，３３は、カム溝２２，２３に挿入された状態で、駆動部材２の移動に応じて従動部材３が所定の動作を行う際に、通過するカム溝２２，２３の動作領域範囲内の所定領域である上昇時水平方向領域２２ａ，２３ａにおける溝幅Ｗ１よりもこの上昇時水平方向領域２２ａ，２３ａにおける溝幅方向に突出する突起３２ａ，３３ａが先端に形成されており、カム溝２２，２３は、上昇時水平方向領域２２ａ，２３ａを除く領域である傾斜方向領域２２ｂ，２３ｂを、カムピン３２，３３の挿入を許容するカムピン挿入領域として形成されているので、カム溝２２，２３からカムピン３２，３３が抜けることを抑制することができる。
【図面の簡単な説明】
【００４６】
【図１】従来のカム装置を備えるディスク装置を示す図である。
【図２】従来の問題点を示す図である。
【図３−１】カム装置の駆動部材の構成例を示す図（正面図）である。
【図３−２】カム装置の駆動部材の構成例を示す図（側面図）である。
【図４−１】カム装置の従動部材の構成例を示す図（平面図）である。
【図４−２】カム装置の従動部材の構成例を示す図（正面図）である。
【図４−３】カム装置の従動部材の構成例を示す図（側面図）である。
【図４−４】カム装置の従動部材の構成例を示す図（カムピン拡大図）である。
【図５−１】組付時におけるカム装置を示す図（正面図）である。
【図５−２】図５−１のＡ−Ａ断面図である。
【図６−１】演奏状態（運搬状態）におけるカム装置を示す図（正面図）である。
【図６−２】図６−１のＢ−Ｂ断面図である。
【図７−１】待機状態におけるカム装置を示す図（正面図）である。
【図７−２】図７−１のＣ−Ｃ断面図である。
【図８】カム装置の他の構成例を示す図である。
【図９】カム装置の他の構成例を示す図である。
【図１０−１】カム装置の他の構成例を示す図である。
【図１０−２】図１０−１のＤ−Ｄ断面図である。
【図１０−３】カムピンの拡大図である。
【符号の説明】
【００４７】
１  カム装置
２  駆動部材
２１  駆動側ギヤ
２２，２３  カム溝
２２ａ，２３ａ  上昇時水平方向領域
２２ｂ，２３ｂ  傾斜方向領域
２２ｃ，２３ｃ  下降時水平方向領域
２２ｄ，２３ｄ  カムピン挿入領域
２２ｅ，２３ｅ  カムピン挿入領域
３  従動部材
３１  本体部
３２，３３  カムピン
３２ａ，３３ａ  突起
３２ｂ，３３ｂ  突起
３４，３５  支持部
３６，３７  軸部
３８，３９  カムピン
３８ａ，３９ａ  凹部
３８ｂ，３９ｂ  突起
２００  シャーシ
２０１  ガイド溝
２０２  シャーシ側ギヤ
２１０  トラバースメカ
【図１】
2007109276.tif 000003
【図２】
2007109276.tif 000004
【図３−１】
2007109276.tif 000005
【図３−２】
2007109276.tif 000006
【図４−１】
2007109276.tif 000007
【図４−２】
2007109276.tif 000008
【図４−３】
2007109276.tif 000009
【図４−４】
2007109276.tif 000010
【図５−１】
2007109276.tif 000011
【図５−２】
2007109276.tif 000012
【図６−１】
2007109276.tif 000013
【図６−２】
2007109276.tif 000014
【図７−１】
2007109276.tif 000015
【図７−２】
2007109276.tif 000016
【図８】
2007109276.tif 000017
【図９】
2007109276.tif 000018
【図１０−１】
2007109276.tif 000019
【図１０−２】
2007109276.tif 000020
【図１０−３】
2007109276.tif 000021